(57)【特許請求の範囲】
【請求項１】
端末制御装置１と、
前記端末制御装置１に接続されるとともに店舗出入り口および所定個所に設置され通常時には所定時間間隔の一定モードで撮影するカメラ2,2A,2B,…,2Xと、
棚ブロックA,B,…,Xに対応する陳列商品個々にそれぞれ取り付けられるとともに前記陳列商品個々を識別するIDコードを含む電波を間欠に送信する子機3A,3B,…,3X,3a,3b,…,3x,…,3AX,3BX,…,3XXと、
前記端末制御装置１に接続されるとともに前記棚ブロックA,B,…,Xに対応した子機3A,3B,…,3X,3a,3b,…,3x,…,3AX,3BX,…,3XXがそれぞれ送信する電波を受信しブザー５を内蔵した親機4A,4B,…,4 Xと、
前記端末制御装置１に接続されるとともに店舗出入り口に設置されて所定距離範囲内では前記子機3A,3B,…,3X,3a,3b,…,3x,…,3AX,3BX,…,3XXが送信する電波を受信する検知ゲート６と、を具備せしめ、
前記子機3A,3B,…,3X,3a,3b,…,3x,…,3AX,3BX,…,3XXが親機4A,4B,…,4Xから所定距離以上離れて親機4A,4B,…,4X が子機3A,3B,…,3X,3a,3b,…,3x,…,3AX,3BX,…,3XXの電波を受信しなくなると親機4A,4B,…,4Xは内蔵したブザー５を鳴らすとともに、子機3A,3B,…,3X,3a,3b,…,3x,…,3AX,3BX,…,3XX に対応した陳列商品の個別情報を端末制御装置１に送信して棚ブロックA,B,…,X名と陳列商品名を端末制御装置１に表示せしめ、
検知ゲート６は子機3A,3B,…,3X,3a,3b,…,3x,…,3AX,3BX,…,3XX の送信する電波を受信すると端末制御装置１を介してカメラ２を連続撮影する特殊モードに切り換え作動させることを特徴とする陳列商品の万引き防止方法。
【請求項２】
端末制御装置１と、
前記端末制御装置１に接続され店舗出入り口および所定個所に設置した複数の店内撮影用のカメラ2,2A,2B,…,2Xと、
棚ブロックA,B,…,Xに対応して陳列商品個々にそれぞれ取り付けるとともに前記陳列商品個々を識別するIDコードを含む電波を間欠に送信する子機3A,3B,…,3X,3a,3b,…,3x,…,3AX,3BX,…,3XXと、
前記端末制御装置１に接続され所定距離内では子機3A,3B,…,3X,3a,3b,…,3x,…,3AX,3BX,…,3XXの電波をそれぞれ受信するブザー５を内蔵した親機4A,4B,…,4Xと、
前記端末制御装置１に接続され店舗出入り口に設置されるとともに前記子機3A,3B,…,3X,3a,3b,…,3x,…,3AX,3BX,…,3XXが送信する電波を受信する検知ゲート６と、からなり、
前記親機4A,4B,…,4 Xは子機3A,3B,…,3X,3a,3b,…,3x,…,3AX,3BX,…,3XXの電波を受信しなくなると内蔵したブザー５を鳴らすとともに、子機3A,3B,…,3X,3a,3b,…,3x,…,3AX,3BX,…,3XX に対応した陳列商品の個別情報を端末制御装置１に送信して棚ブロックA,B,…,X名と陳列商品名を端末制御装置１に表示させ、
検知ゲート６は子機3A,3B,…,3X,3a,3b,…,3x,…,3AX,3BX,…,3XX の電波を受信すると端末制御装置１を介してカメラ２を所定時間間隔撮影から連続撮影に切り換えるよう構成したことを特徴とする陳列商品の万引き防止装置。
【発明の詳細な説明】
【０００１】
【発明が属する技術分野】
本発明は、各種業種の店舗で棚等に陳列して販売する陳列商品の万引き防止方法およびその装置に係わり、特には、モニター用商品の万引き防止に好適な無線式による陳列商品の万引き防止方法およびその装置に関するものである。
【０００２】
【従来の技術】
一般に、家電商品やスポーツ用品等を販売する各種店舗では、新商品等のモニター用商品を陳列棚に陳列させており、お客はこれらの陳列商品を手に取って調べたて購入する商品を選択する。そして、陳列棚付近に置かれ陳列商品と同一商品を示すカード等をレジに持って行き、予約購入のための清算をしている。
ところで、これらの陳列商品は万引きに遭うことが多々あるため、店舗側では種々の万引き防止対策を施していた。具体的には、陳列商品個々をワイヤーで棚に繋ぐ手段、ワイヤーと接続した自鳴式のタグを製品に貼り付けておき、タグを剥がしたり、ワイヤーを切断するとブザーを鳴らして警告する等の防止対策である。
このような万引き防止対策を施せば、ワイヤーが切断されない限り陳列商品が万引きされることはなく、自鳴式のタグを用いた場合にはブザーが万引きを知らせるので万引き防止に大きな威力を発揮していた。
【０００３】
【発明が解決しようとする課題】
ところが、これらの万引き防止対策でワイヤーを陳列商品に繋いだ場合には、陳列商品がワイヤーに繋がれているため見た目が悪いばかりか、お客が気楽に陳列商品を手にして商品の機能を調べたりする邪魔になるという大きな難点があった。
また、自鳴式のタグを用いた場合には、不正行為がその場で行われれば不正行為が瞬時に判明するが、タグが巧妙な手口で剥がされると、後になってからでないと陳列商品がなくなったことに気づかない難点があった。
このため、万引きが発生した場合、万引きの発生はもとより万引きの発生個所や万引きされた陳列商品が何かを瞬時に店員に知らせることのできる陳列商品の万引き防止方法およびその装置が要望されていた。
【０００４】
そこで、本発明の目的は、このような事情を考慮してなされたものであり、モニター商品に対する万引きの発生や発生個所および万引きされた陳列商品が何かを瞬時に店員に知らせることができる陳列商品の万引き防止方法およびその装置を提供することにある。
【０００５】
【課題を解決するための手段】
第１の観点では、本発明は端末制御装置１と、
前記端末制御装置１に接続されるとともに店舗出入り口および所定個所に設置され通常時には所定時間間隔の一定モードで撮影するカメラ2,2A,2B,…,2Xと、棚ブロックA,B,…,Xに対応する陳列商品個々にそれぞれ取り付けられるとともに前記陳列商品個々を識別するIDコードを含む電波を間欠に送信する子機3A,3B,…,3X,3a,3b,…,3x,…,3AX,3BX,…,3XXと、
前記端末制御装置１に接続されるとともに前記棚ブロックA,B,…,Xに対応した子機3A,3B,…,3X,3a,3b,…,3x,…,3AX,3BX,…,3XXがそれぞれ送信する電波を受信しブザー５を内蔵した親機4A,4B,…,4Xと、
前記端末制御装置１に接続されるとともに店舗出入り口に設置されて所定距離範囲内では前記子機3A,3B,…,3X,3a,3b,…,3x,…,3AX,3BX,…,3XXが送信する電波を受信する検知ゲート６と、を具備せしめ、
前記子機3A,3B,…,3X,3a,3b,…,3x,…,3AX,3BX,….3XXが親機4A,4B,…,4Xから所定距離以上離れて親機4A,4B,…,4X が子機3A,3B,…,3X,3a,3b,…,3x,…,3AX,3BX,…,3XXの電波を受信しなくなると親機4A,4B,…,4X は内蔵したブザー５を鳴らすとともに、子機3A,3B,…,3X,3a,3b,…,3x,…,3AX,3BX,…,3XX に対応した陳列商品の個別情報を端末制御装置１に送信して棚ブロックA,B,…,X名と陳列商品名を端末制御装置１に表示せしめ、
検知ゲート６は子機3A,3B,…,3X,3a,3b,…,3x,…,3AX,3BX,…,3XX の送信する電波を受信すると端末制御装置１を介してカメラ２を連続撮影する特殊モードに切り換え作動させることを特徴とする陳列商品の万引き防止方法を提供する。
第１の観点による陳列商品の万引き防止方法では、子機3A,3B,…,3X,3a,3b,…,3x,…,3AX,3BX,…,3XX の送信する電波を受信すると、親機4A,4B,…,4Xが陳列商品個別の情報を端末制御装置１に送信して端末制御装置１に表示させるほか、ブザー５を鳴らしたり、カメラ２で店舗の出入り口を連続撮影する構成なので、店員が万引きを瞬時に認知できる。また、ワイヤーが不要であり、見た目もよく、お客も陳列商品を気楽に手にして調べることができる。
【０００６】
第２の観点では、本発明は端末制御装置１と、
前記端末制御装置１に接続され店舗出入り口および所定個所に設置した複数の店内撮影用のカメラ2,2A,2B,…,2Xと、
棚ブロックA,B,…,Xに対応して陳列商品個々にそれぞれ取り付けるとともに前記陳列商品個々を識別するIDコードを含む電波を間欠に送信する子機3A,3B,…,3X,3a,3b,…,3x,…,3AX,3BX,…,3XXと、
前記端末制御装置１に接続され所定距離内では子機3A,3B,…,3X,3a,3b,…,3x,…,3AX,3BX,…,3XXの電波をそれぞれ受信するブザー５を内蔵した親機4A,4B,…,4Xと、
前記端末制御装置１に接続され店舗出入り口に設置されるとともに前記子機3A,3B,…,3X,3a,3b,…,3x,…,3AX,3BX,…,3XXが送信する電波を受信する検知ゲート６と、からなり、
前記親機4A,4B,…,4X は子機3A,3B,…,3X,3a,3b,…,3x,…,3AX,3BX,…,3XXの電波を受信しなくなると内蔵したブザー５を鳴らすとともに、子機3A,3B,…,3X,3a,3b,…,3x,…,3AX,3BX,…,3XX に対応した陳列商品の個別情報を端末制御装置１に送信して棚ブロックA,B,…,X名と陳列商品名を端末制御装置１に表示させ、検知ゲート６は子機3A,3B,…,3X,3a,3b,…,3x,…,3AX,3BX,…,3XX の電波を受信すると端末制御装置１を介してカメラ２を所定時間間隔撮影から連続撮影に切り換えるよう構成したことを特徴とする陳列商品の万引き防止装置を提供する。
第２の観点による陳列商品の万引き防止装置では、親機4A,4B,…,4Xは子機3A,3B,…,3X,3a,3b,…,3x,…,3AX,3BX,…,3XX の電波を受信しなくなると、陳列商品個別の情報を端末制御装置１に送信して端末制御装置１に表示させるほか、ブザー５を鳴らしたり、カメラ２で店舗の出入り口を連続撮影するので、店員が万引きを瞬時に認知できる。また、ワイヤーを不要とし、見た目もよく、お客も気楽に陳列商品を手にして調べられる万引き防止装置が選られる。
【０００７】
【発明の実施の形態】
以下、本発明を図に示す実施例により具体的に説明する。なお、これにより本発明が限定されるものではない。
【０００８】
−第一の実施形態−
図１は、本発明による陳列商品の万引き防止方法を説明するためのブロック図である。
図において、A,B,・・…,Xは新商品等の陳列商品を種類毎にそれぞれ陳列する棚ブロックである。
１は端末制御装置であり、端末制御装置１はレジ近傍で店員が操作できる場所に設置するのが望ましい。
2,2A,2B,…,2Xはそれぞれ店舗内を撮影するためのカメラであり、カメラ2,2A,2B,…,2Xそれぞれは端末制御装置１に接続されるとともに店舗出入り口および必要とする複数個所に設置されており、通常時には所定の時間間隔で店舗内を撮影するといった一定モードで作動している。
そして、万引き発生等の異常時には、端末制御装置１により必要なカメラ2A,2B,…,2Xが連続作動するよう制御される。
【０００９】
3A,3B,…,3X,3a,3b,…,3x,…,3AX,3BX,…3XXは棚ブロックA,B,…,X毎の陳列商品個々にそれぞれ取り付けられ陳列商品個々を識別するIDコードを含む電波を間欠（3sec〜5sec）で送信する子機である。
なお、これらの子機3A,3B,…,3X,3a,3b,…,3x,…,3AX,3BX,…,3XXは金属製または絶縁樹脂製のケースに収納されており、図示しないがアンテナ部と回路部およびコネクタ等から構成されており、お客が簡単に取り外せないよう接着固定等により陳列商品に固定されている。
【００１０】
4A,4B,…,4 Xは棚ブロックA,B,…,X毎の子機3A,3B,…,3X,…,3a,3b,…,3x,…,3AX,3BX,…,3XXに応じて設置される親機であり、それぞれの親機4A,4B,…,4Xに対応した子機3A,3B,…,3X,3a,3b,…,3x,…,3AX,3BX,…,3XX が送信する電波を受信するほかブザー５を内蔵して構成されている。
なお、親機4A,4B,…,4Xは店舗内の所定個所に設置され、それぞれ高周波受信回路や増幅回路、スイッチング回路、発振・出力回路および電池、ブザー等を内蔵して構成されているほか、端末制御装置１と接続されており、情報の送受信が行えるよう構成されている。
６は検知ゲートであり、端末制御装置１に接続されるとともに子機3A,3B,…,3X,3a,3b,…,3x,…,3AX,3BX,…,3XXが所定距離範囲内にあると、子機3A,3B,…,3X,3a,3b,…,3x,…,3AX,3BX,…,3XXの送信する電波を受信し、その情報を端末制御装置１に送信するよう店舗出入り口に設置されている。
【００１１】
このような陳列商品の万引き防止方法によれば、万引き発生時には次のようにして万引きの発生を店員に知らせて万引きを防止することが可能になる。
今、子機3Aを取り付けた陳列商品が万引きされて子機3Aに対応した親機4Aから所定距離以上離れると、親機4Aに対して子機3Aの送信する電波が弱くなって親機4Aは電波を受信しなくなる。
すると、親機4Aは内蔵したブザー５を鳴らして店員に万引きを知らせるとともに子機3Aの取り付けられた陳列商品の個別情報である具体的な商品名や商品の陳列されていた棚ブロックA等を端末制御装置１に送信・表示させ店員に知らせる。
【００１２】
そして、お客が万引きした商品を持って店舗出入り口の所定範囲内に近づけば検知ゲート６が子機3Aの送信する電波を受信して端末制御装置１にその情報を送信してカメラ２を連続撮影させる特殊モードに切り換え店舗出入り口の様子を撮影させる。
この結果、カメラ２で撮影したお客の所持品と端末制御装置１に表示された陳列商品の個別情報とを照合すれば、万引きを認識することができる。
【００１３】
【発明の効果】
本発明によれば、陳列商品をワイヤーで繋ぐことなく万引きを防止できるほか、万引きされた商品の照合を瞬時に行うことができる。
また、従来必要としたワイヤーが不要となり、見た目もよく、お客も気楽に陳列商品を手にして調べることができる。等その実用上の効果は大きなものがある。
【図面の簡単な説明】
【図１】本発明による陳列商品の万引き防止方法を説明するためのブロック図である。
【符号の説明】
１  端末制御装置
2,2A,2B,…,2X  カメラ
3A,3B,…,3X,3a,3b,…,3x,…,3AX,3BX,…,3XX  子機
4A,4B,…,4X  親機
５  ブザー
６  検知ゲート
【図１】
0003897228.tif 000002